(57)【特許請求の範囲】
【請求項１】
製造時に決められた装置固有の初期設定情報を記憶する第１記憶部と、
装置起動時に参照し且つ装置動作中の設定を運用設定情報として電源投入中のみ保持する第２記憶部と、  
前記運用設定情報に展開可能な起動設定情報を記憶する外部記憶媒体を着脱可能にする接続インターフェースと、
装置起動時に、前記外部記憶媒体が前記接続インターフェースに装着されている場合は前記外部記憶媒体に記憶された前記起動設定情報を前記運用設定情報として前記第２記憶部に展開して装置起動を行い、前記外部記憶媒体が前記接続インターフェースに装着されていない場合は前記第１記憶部に記憶された前記初期設定情報を前記運用設定情報として前記第２記憶部に展開し、または前記第１記憶部に前記起動設定情報が記憶されている場合は該起動設定情報を前記運用設定情報として前記第２記憶部に展開して装置起動を行い、さらに、装置が正常起動したか否かを判別して、装置が正常起動した場合は前記外部記憶媒体に記憶されている前記起動設定情報を前記第１記憶部に記憶する制御部とを有し、
前記外部記憶媒体は、複数の起動設定情報を記憶すると共に、前記複数の起動設定情報のいずれか１つの起動設定情報を指定するための設定選択ファイルを記憶し、
前記制御部は、前記外部記憶媒体が前記接続インターフェースに装着されている場合、前記外部記憶媒体に記憶された前記複数の起動設定情報の中から前記設定選択ファイルが指定する起動設定情報を前記運用設定情報として前記第２記憶部に展開して装置起動を行い、さらに、前記第２記憶部が保持する前記運用設定情報が装置動作中に変更された場合に、前記第２記憶部が保持している前記運用設定情報を新たな起動設定情報として前記第１記憶部および前記外部記憶媒体の前記複数の起動設定情報に追加すると共に、前記新たな起動設定情報を指定する情報を前記外部記憶媒体の前記設定選択ファイルに記憶する
ことを特徴とする設定情報参照起動型の制御装置。
【請求項２】
請求項１に記載の設定情報参照起動型の制御装置において、
前記制御部は、前記第２記憶部が保持する前記運用設定情報が装置動作中に変更された場合に、前記第２記憶部が保持する前記運用設定情報を新たな起動設定情報として前記第１記憶部に記憶すると共に、前記外部記憶媒体が前記接続インターフェースに装着されている場合は前記第２記憶部が保持する前記運用設定情報を新たな起動設定情報として前記外部記憶媒体に記憶する
ことを特徴とする設定情報参照起動型の制御装置。
【請求項３】
請求項１または２に記載の設定情報参照起動型の制御装置において、
前記第１記憶部は不揮発性メモリで構成し、前記第２記憶部は揮発性メモリで構成されることを特徴とする設定情報参照起動型の制御装置。
【請求項４】
製造時に決められた装置固有の初期設定情報を記憶する第１記憶部と、装置起動時に参照し且つ装置動作中の設定を運用設定情報として電源投入中のみ保持する第２記憶部と、前記運用設定情報に展開可能な起動設定情報を記憶する外部記憶媒体を着脱可能にする接続インターフェースとを有する制御装置で用いる設定情報管理方法において、
装置起動時に、前記外部記憶媒体が前記接続インターフェースに装着されている場合は前記外部記憶媒体に記憶された前記起動設定情報を前記運用設定情報として前記第２記憶部に展開して装置起動を行い、前記外部記憶媒体が前記接続インターフェースに装着されていない場合は前記第１記憶部に記憶された前記初期設定情報を前記運用設定情報として前記第２記憶部に展開し、または前記第１記憶部に前記起動設定情報が記憶されている場合は該起動設定情報を前記運用設定情報として前記第２記憶部に展開して装置起動を行い、次の装置起動時に前記外部記憶媒体が前記接続インターフェースに装着されていない場合は前記第１記憶部に記憶された前記起動設定情報を前記運用設定情報として前記第２記憶部に展開して装置起動を行う装置起動手順と、
前記装置起動手順で装置が正常起動したか否かを判別し、装置が正常起動した場合は前記外部記憶媒体に記憶されている前記起動設定情報を前記第１記憶部に記憶する起動判別手順と
を有し、
複数の起動設定情報を記憶すると共に、前記複数の起動設定情報のいずれか１つの起動設定情報を指定するための設定選択ファイルを前記外部記憶媒体に記憶し、
前記装置起動手順は、前記外部記憶媒体が前記接続インターフェースに装着されている場合、前記外部記憶媒体に記憶された前記複数の起動設定情報の中から前記設定選択ファイルが指定する起動設定情報を前記運用設定情報として前記第２記憶部に展開して装置起動を行い、
前記起動判別手順は、前記第２記憶部が保持している前記運用設定情報が変更された場合に、前記第２記憶部が保持している前記運用設定情報を新たな起動設定情報として前記第１記憶部および前記外部記憶媒体の前記複数の起動設定情報に追加すると共に、前記新たな起動設定情報を指定する情報を前記外部記憶媒体の前記設定選択ファイルに記憶する
ことを特徴とする制御装置の設定情報管理方法。
【請求項５】
請求項４に記載の制御装置の設定情報管理方法において、
前記第２記憶部が保持する前記運用設定情報が装置動作中に変更された場合に、前記変更後の運用設定情報を新たな起動設定情報として前記第１記憶部に記憶すると共に、前記外部記憶媒体が前記接続インターフェースに装着されている場合は前記変更後の運用設定情報を新たな起動設定情報として前記外部記憶媒体に記憶する設定変更手順を更に設けた
ことを特徴とする制御装置の設定情報管理方法。
【発明の詳細な説明】
【技術分野】
【０００１】
本発明は、設定情報を参照して装置を起動する制御装置および設定情報を管理する技術に関する。
【背景技術】
【０００２】
近年、多くの制御装置にはマイクロコンピュータが搭載され、そのマイクロコンピュータによって各装置の様々な機能を実現している。このような制御装置は、プログラムの変更や設定情報の変更によって多機能化が容易であるため、装置機能の数が増大化し制御や管理が複雑化する傾向にある。そして、装置機能の増大化や複雑化によって、装置に設定しなければならない項目数が増加し、従来のように装置毎に保守者が対面して設定を行う方法では、設定が完了するまでに多大な時間がかかり、特に装置数が多い場合は甚大な経費が必要になる。
【０００３】
そこで、各機能項目の設定にかかる時間や作業を低減させるために、装置設置後にネットワーク接続し、装置の監視や制御を行うサーバ側から各装置に設定情報を転送することで、装置設定を反映させる技術が考えられている（例えば、特許文献１、２参照）。
【先行技術文献】
【特許文献】
【０００４】
【特許文献１】特開平１０−０４０２００号公報
【特許文献２】特開２００５−２２８１７２号公報
【発明の概要】
【発明が解決しようとする課題】
【０００５】
しかしながら、従来のようにネットワーク経由で装置設定を行う場合でも次のような問題がある。例えば、先ず装置を設置後にネットワーク接続するために、一旦、装置を起動してＩＰアドレスなどのネットワーク設定やネットワーク動作を行うための様々な設定を行わなければならず、更に装置情報の設定後に装置の再起動が必要となる。このように、装置情報自体の設定時間が短縮されたとはいえ、動作可能な状態にするまでに多くの時間が必要であるという問題は残っている。特に、装置の多機能化や複雑化により、装置の電源ＯＮまたはリセットされてから起動が完了するまでの時間がますます長くなってきており、例えば類似した設定を複数台の装置に対して行う場合には、（装置台数×起動完了までの時間）の膨大な時間を要するという問題がある。
【０００６】
ここで、装置の起動を完了するまでに行う一般的な操作手順を以下に示す。
（１）最初の装置起動
（２）ネットワーク設定および接続
（３）装置再起動（殆どの装置で必要）
（４）設定情報の転送（転送前に装置への接続や転送先等の各種設定が必要）
（５）装置再起動
尚、最初の装置起動は、複数台同時に操作可能であるが、ネットワーク設定および接続と設定情報の転送は操作者が行うので、複数台の装置を１人の操作者が同時に操作することはできない。特に、設定情報の転送は、センター側のオペレータと連携する必要があり、転送準備完了や転送終了の連絡が現地操作者とセンター側のオペレータとの間で必要となり、複数台の装置を同時に操作することはできない。
【０００７】
また、設定間違いが生じた場合には装置が正常に動作しなくなり、復旧に要する時間も増大するという問題がある。特に、複数台の装置に同じ設定を行う場合には、間違った設定が複数の装置に行われてしまうという問題がある。
【０００８】
上記課題に鑑み、本発明の目的は、装置が起動するために必要な設定情報の転送や管理を工夫することにより、装置設置から運用までにかかる工数を大幅に低減することができる設定情報参照起動型の制御装置および設定情報管理方法を提供することである。
【課題を解決するための手段】
【０００９】
本発明に係る設定情報参照起動型の制御装置は、製造時に決められた装置固有の初期設定情報を記憶する第１記憶部と、装置起動時に参照し且つ装置動作中の設定を運用設定情報として電源投入中のみ保持する第２記憶部と、前記運用設定情報に展開可能な起動設定情報を記憶する外部記憶媒体を着脱可能にする接続インターフェースと、装置起動時に、前記外部記憶媒体が前記接続インターフェースに装着されている場合は前記外部記憶媒体に記憶された前記起動設定情報を前記運用設定情報として前記第２記憶部に展開して装置起動を行い、前記外部記憶媒体が前記接続インターフェースに装着されていない場合は前記第１記憶部に記憶された前記初期設定情報を前記運用設定情報として前記第２記憶部に展開し、または前記第１記憶部に前記起動設定情報が記憶されている場合は該起動設定情報を前記運用設定情報として前記第２記憶部に展開して装置起動を行い、さらに、装置が正常起動したか否かを判別して、装置が正常起動した場合は前記外部記憶媒体に記憶されている前記起動設定情報を前記第１記憶部に記憶する制御部とを有し、前記外部記憶媒体は、複数の起動設定情報を記憶すると共に、前記複数の起動設定情報のいずれか１つの起動設定情報を指定するための設定選択ファイルを記憶し、前記制御部は、前記外部記憶媒体が前記接続インターフェースに装着されている場合、前記外部記憶媒体に記憶された前記複数の起動設定情報の中から前記設定選択ファイルが指定する起動設定情報を前記運用設定情報として前記第２記憶部に展開して装置起動を行い、さらに、前記第２記憶部が保持する前記運用設定情報が装置動作中に変更された場合に、前記第２記憶部が保持している前記運用設定情報を新たな起動設定情報として前記第１記憶部および前記外部記憶媒体の前記複数の起動設定情報に追加すると共に、前記新たな起動設定情報を指定する情報を前記外部記憶媒体の前記設定選択ファイルに記憶することを特徴とする。
【００１０】
特に、前記制御部は、前記第２記憶部が保持する前記運用設定情報が装置動作中に変更された場合に、前記第２記憶部が保持する前記運用設定情報を新たな起動設定情報として前記第１記憶部に記憶すると共に、前記外部記憶媒体が前記接続インターフェースに装着されている場合は前記第２記憶部が保持する前記運用設定情報を新たな起動設定情報として前記外部記憶媒体に記憶することを特徴とする。
【００１３】
また、前記第１記憶部は不揮発性メモリで構成し、前記第２記憶部は揮発性メモリで構成されることを特徴とする。
【００１４】
本発明に係る設定情報管理方法は、製造時に決められた装置固有の初期設定情報を記憶する第１記憶部と、装置起動時に参照し且つ装置動作中の設定を運用設定情報として電源投入中のみ保持する第２記憶部と、前記運用設定情報に展開可能な起動設定情報を記憶する外部記憶媒体を着脱可能にする接続インターフェースとを有する制御装置で用いる設定情報管理方法において、装置起動時に、前記外部記憶媒体が前記接続インターフェースに装着されている場合は前記外部記憶媒体に記憶された前記起動設定情報を前記運用設定情報として前記第２記憶部に展開して装置起動を行い、前記外部記憶媒体が前記接続インターフェースに装着されていない場合は前記第１記憶部に記憶された前記初期設定情報を前記運用設定情報として前記第２記憶部に展開し、または前記第１記憶部に前記起動設定情報が記憶されている場合は該起動設定情報を前記運用設定情報として前記第２記憶部に展開して装置起動を行い、次の装置起動時に前記外部記憶媒体が前記接続インターフェースに装着されていない場合は前記第１記憶部に記憶された前記起動設定情報を前記運用設定情報として前記第２記憶部に展開して装置起動を行う装置起動手順と、前記装置起動手順で装置が正常起動したか否かを判別し、装置が正常起動した場合は前記外部記憶媒体に記憶されている前記起動設定情報を前記第１記憶部に記憶する起動判別手順とを有し、複数の起動設定情報を記憶すると共に、前記複数の起動設定情報のいずれか１つの起動設定情報を指定するための設定選択ファイルを前記外部記憶媒体に記憶し、前記装置起動手順は、前記外部記憶媒体が前記接続インターフェースに装着されている場合、前記外部記憶媒体に記憶された前記複数の起動設定情報の中から前記設定選択ファイルが指定する起動設定情報を前記運用設定情報として前記第２記憶部に展開して装置起動を行い、前記起動判別手順は、前記第２記憶部が保持している前記運用設定情報が変更された場合に、前記第２記憶部が保持している前記運用設定情報を新たな起動設定情報として前記第１記憶部および前記外部記憶媒体の前記複数の起動設定情報に追加すると共に、前記新たな起動設定情報を指定する情報を前記外部記憶媒体の前記設定選択ファイルに記憶することを特徴とする。
【００１５】
特に、前記第２記憶部が保持する前記運用設定情報が装置動作中に変更された場合に、前記変更後の運用設定情報を新たな起動設定情報として前記第１記憶部に記憶すると共に、前記外部記憶媒体が前記接続インターフェースに装着されている場合は前記変更後の運用設定情報を新たな起動設定情報として前記外部記憶媒体に記憶する設定変更手順を更に設けたことを特徴とする。
【発明の効果】
【００１８】
本発明に係る設定情報参照起動型の制御装置および設定情報管理方法は、装置が起動するために必要な設定情報を装置に着脱可能な外部メモリから読み出して起動し、正常起動した時の設定情報を外部メモリから装置内のメモリにコピーすることにより、外部メモリの取り外し後に外部メモリと同じ設定内容で装置を起動できる。
【００１９】
また、本発明に係る設定情報参照起動型の制御装置および設定情報管理方法は、類似した装置の設定を複数台の装置について行う場合には、１台目に設置した装置の設定情報をひな型として外部メモリに退避し、その外部メモリで複数の装置を起動することにより、正常に起動することが確認された設定情報を複数の装置に反映させることができる。
【００２０】
このように、本発明に係る設定情報参照起動型の制御装置および設定情報管理方法は、装置が起動するために必要な設定情報の転送や管理を工夫することにより、装置設置から運用までにかかる工数を大幅に低減することができる。
【図面の簡単な説明】
【００２１】
【図１】通信装置１０１の構成例および通信システム１００全体の構成例を示す図である。
【図２】工場出荷時の通信装置１０１を起動する時の設定情報の流れを示す図である。
【図３】通信装置１０１の再起動時の設定情報の流れを示す図である。
【図４】外部メモリ２０７装着時に通信装置１０１を起動する時の設定情報の流れを示す図である。
【図５】通信装置１０１の電源投入時の処理の流れを示すフローチャートである。
【図６】外部メモリ２０７に複数の起動設定情報（Ｓｔａｒｔｕｐ−ｃｏｎｆｉｇ）が記憶されている場合の設定情報の流れを示す図である。
【図７】揮発性メモリ２０２の動作設定情報（Ｒｕｎｎｉｎｇ−ｃｏｎｆｉｇ）が変更された場合に、外部メモリ２０７に起動設定情報（Ｓｔａｒｔｕｐ−ｃｏｎｆｉｇ）を追加する時の設定情報の流れを示す図である。
【図８】複数の通信装置１０１を１つの外部メモリ２０７を用いて順次起動する例を示す図である。
【図９】複数の通信装置１０１をＮＷ設定を含む各通信装置１０１に対応した複数の外部メモリ２０７を用いて一括して複数の通信装置１０１を起動する例を示す図である。
【発明を実施するための形態】
【００２２】
以下、本発明に係る「設定情報参照起動型の制御装置および設定情報管理方法」の実施形態について詳しく説明する。尚、本実施形態では、本発明に係る設定情報参照起動型の制御装置が通信装置である場合について説明するが、起動時に設定情報を読み込んで様々な機能を提供する制御装置であれば適用可能である。
【００２３】
図１は、通信装置１０１とその周辺の装置を含む通信システム１００の構成例を示す図である。図１において、通信装置１０１は、通常運用時において、ＩＦ盤やスイッチ盤で構成されるユーザ通信ブロック１０５によってユーザネットワーク１０２に接続され、他の通信装置１０３、１０４との間でユーザデータを送受信する。尚、ユーザ通信ブロック１０５の詳細な構成および動作については、本発明の特徴部分ではないので詳しい説明を省略する。本発明では、通信装置１０１の監視や制御を行うための監視制御盤１０６を中心とする構成および動作に特徴がある。
【００２４】
図１において、監視制御盤１０６は、例えば、制御部２０１と、揮発性メモリ２０２と、不揮発性メモリ２０３と、外部メモリＩＦ２０４と、端末ＩＦ２０５と、監視ＮＷＩＦ２０６とを有する。また、外部メモリＩＦ２０４には、外部メモリ２０７を装着できるようになっている。
【００２５】
本実施形態に係る通信装置１０１は、起動時に装置が起動するために必要な設定情報を、装置に着脱可能な外部メモリ２０７から読み出して起動し、正常に起動ができた時に正常起動した設定情報を揮発性メモリ２０２（或いは、外部メモリ２０７）から装置内の不揮発性メモリ２０３にコピーし、外部メモリ２０７が取り外された後でも、外部メモリ２０７と同じ設定内容で装置を起動できることが基本的な特徴である。これにより、通信装置１０１を設置する際の設定が類似した環境で複数の装置を設置する場合、１台目に設置した装置の設定をひな型として外部メモリ２０７に記憶し、その外部メモリ２０７を用いて複数の装置を起動することができ、設置して電源投入するだけで複数の装置に同じ環境設定を反映させることができる。この結果、装置の設置から運用状態にするまでにかかる工数を大幅に低減することができる。
【００２６】
図１において、制御部２０１は、例えばＣＰＵ（中央演算ユニット）で構成され、内部に予め記憶されたプログラムに従って動作する。そして、制御部２０１は、通信装置１０１の電源投入時に、不揮発性メモリ２０３または外部メモリＩＦ２０４に装着されている外部メモリ２０７から装置を起動するための設定情報を読み出して揮発性メモリ２０２に展開し、揮発性メモリ２０２に展開された設定情報（動作設定情報と称する）を参照して、通信装置１０１の各部の動作を設定し起動する。例えば、制御部２０１は、ユーザ通信ブロック１０５のＩＦ盤やスイッチ盤などの設定を行ったり、端末ＩＦ２０５を介して保守端末１６１との間でシリアル通信ができるように設定する。尚、保守端末１６１では、ターミナルソフトを起動して、簡単なＣＬＩ（コマンドラインインターフェース）を用いて通信装置１０１の制御コマンドや設定情報の入出力を行う。例えば、保守端末１６１は、通信装置１０１の監視ＮＷＩＦ２０６のネットワーク接続設定（ＩＰアドレスなど）を行って、監視制御ネットワーク１５１を介して監視制御サーバ１５２に接続できるようにする。そして、監視制御サーバ１５２のサーバ端末１５３をオペレータが操作して、通信装置１０１の設定情報の変更や制御を遠隔で行う。
【００２７】
［装置起動時の基本動作］
先ず、工場出荷後に初めて通信装置１０１の電源を投入する場合の起動時の動作について説明する。尚、ここで説明する動作は従来の通信装置でも行われているもので従来技術と共通の動作である。外部メモリ２０７を使用する本実施形態特有の動作については後で詳しく説明する。
【００２８】
図２（ａ）および図２（ｂ）は、図１の通信装置１０１の監視制御盤１０６の部分を抜き出した図である。図２（ａ）および図２（ｂ）において、図１と同符号のブロックは同じものを示す。また、不揮発性メモリ２０３には、工場出荷時に初期設定情報（Ｄｅｆａｕｌｔ−ｃｏｎｆｉｇ）が書き込まれているものとする。ここで、Ｄｅｆａｕｌｔ−ｃｏｎｆｉｇは、通信装置１０１が動作するための必要最小限の機能を動作させるためだけの設定情報で、ユーザネットワーク１０２の機能に対応するユーザ通信ブロック１０５のＩＦ盤やスイッチ盤などの詳細な設定は行われない。また、監視ＮＷＩＦ２０６が監視制御ネットワーク１５１を介して監視制御サーバ１５２に接続するためのネットワーク設定なども行われない。従来は、これらの設定を端末ＩＦ２０５を介して接続される保守端末１６１から保守者が制御コマンドで１つ１つ設定するか、監視ＮＷＩＦ２０６のネットワーク設定だけを保守端末１６１から保守者が実行し、その他の設定は、監視制御ネットワーク１５１を介して監視制御サーバ１５２のサーバ端末１５３からオペレータが遠隔操作で設定する作業が行われていた。
【００２９】
ここで、工場出荷時の通信装置１０１を起動する場合の動作について説明する。図２（ａ）において、通信装置１０１の電源を投入すると（１回目の起動）、制御部２０１は、不揮発性メモリ２０３から初期設定情報（Ｄｅｆａｕｌｔ−ｃｏｎｆｉｇ）を読み出し、揮発性メモリ２０２に動作設定情報（Ｒｕｎｎｉｎｇ−ｃｏｎｆｉｇ）として展開する（図２（ａ）の点線矢印（１））。尚、通信装置１０１は工場出荷後に初めて電源が投入されているので、不揮発性メモリ２０３にはＤｅｆａｕｌｔ−ｃｏｎｆｉｇだけが記憶されている。ここで、Ｒｕｎｎｉｎｇ−ｃｏｎｆｉｇは、揮発性メモリ２０２に保持される設定情報で、通信装置１０１が動作中は制御部２０１は揮発性メモリ２０２のＲｕｎｎｉｎｇ−ｃｏｎｆｉｇを参照して通信装置１０１の各部の動作を制御する。従って、通信装置１０１が動作中の設定変更はＲｕｎｎｉｎｇ−ｃｏｎｆｉｇに対して行われる。
【００３０】
そして、制御部２０１は、不揮発性メモリ２０３のＤｅｆａｕｌｔ−ｃｏｎｆｉｇから揮発性メモリ２０２に展開されたＲｕｎｎｉｎｇ−ｃｏｎｆｉｇを参照して、通信装置１０１を起動する。尚、この状態では、先に説明したように、通信装置１０１の基本的な機能だけが動作可能な状態にあり、例えば監視ＮＷＩＦ２０６のネットワーク接続設定（ＩＰアドレスなど）は行われていないので、図１に示した監視制御ネットワーク１５１を介して監視制御サーバ１５２のサーバ端末１５３からオペレータが通信装置１０１を遠隔制御することはできない。そこで、図２（ｂ）に示すように、保守者が保守端末１６１を通信装置１０１の端末ＩＦ２０５にシリアル通信で接続し、保守端末１６１から制御コマンドを用いて揮発性メモリ２０２内のＲｕｎｎｉｎｇ−ｃｏｎｆｉｇに監視ＮＷＩＦ２０６用のネットワーク接続設定を行う（図２（ｂ）の点線矢印（２））。この後、保守者は、保守端末１６１を操作して揮発性メモリ２０２が保持している変更後のＲｕｎｎｉｎｇ−ｃｏｎｆｉｇを起動設定情報（Ｓｔａｒｔｕｐ−ｃｏｎｆｉｇ）として、不揮発性メモリ２０３に保存し（図２（ｂ）の点線矢印（３））、通信装置１０１を再起動する（２回目の起動）。
【００３１】
通信装置１０１が再起動されると、制御部２０１は、不揮発性メモリ２０３からＳｔａｒｔｕｐ−ｃｏｎｆｉｇを読み出し、揮発性メモリ２０２に動作設定情報（Ｒｕｎｎｉｎｇ−ｃｏｎｆｉｇ）として展開する（図３（ａ）の点線矢印（４））。ここで、制御部２０１は、起動時に不揮発性メモリ２０３に記憶されている情報を検索してＳｔａｒｔｕｐ−ｃｏｎｆｉｇが記憶されている場合は、Ｓｔａｒｔｕｐ−ｃｏｎｆｉｇを読み出して揮発性メモリ２０２にＲｕｎｎｉｎｇ−ｃｏｎｆｉｇとして展開するが、Ｓｔａｒｔｕｐ−ｃｏｎｆｉｇが不揮発性メモリ２０３に記憶されていない場合は、Ｄｅｆａｕｌｔ−ｃｏｎｆｉｇを読み出して揮発性メモリ２０２にＲｕｎｎｉｎｇ−ｃｏｎｆｉｇとして展開する。従って、先に説明した図２（ａ）の場合は、工場出荷後に初めて通信装置１０１の電源が投入され、不揮発性メモリ２０３にはＤｅｆａｕｌｔ−ｃｏｎｆｉｇだけしか記憶されていないので制御部２０１はＤｅｆａｕｌｔ−ｃｏｎｆｉｇを読み出すのに対して、図３（ａ）の場合はネットワーク接続の設定情報が含まれるＳｔａｒｔｕｐ−ｃｏｎｆｉｇが不揮発性メモリ２０３に記憶されているので、制御部２０１は不揮発性メモリ２０３のＳｔａｒｔｕｐ−ｃｏｎｆｉｇを読み出して揮発性メモリ２０２にＲｕｎｎｉｎｇ−ｃｏｎｆｉｇとして展開し（図３（ａ）の点線矢印（４））、通信装置１０１を起動する。
【００３２】
このようにして、監視ＮＷＩＦ２０６のネットワーク接続設定（ＩＰアドレスなど）が行われた状態で通信装置１０１が起動されるので、通信装置１０１は図１の監視制御ネットワーク１５１を介して監視制御サーバ１５２のサーバ端末１５３からオペレータが通信装置１０１を遠隔制御可能な状態になっている。
【００３３】
そして、オペレータは、サーバ端末１５３から監視制御サーバ１５２および監視制御ネットワーク１５１を介してＦＴＰなどのプロトコルを用いて設定情報を転送し、揮発性メモリ２０２のＲｕｎｎｉｎｇ−ｃｏｎｆｉｇの変更や追加を行う（図３（ｂ）の点線矢印（５））。そして、オペレータは、変更後の揮発性メモリ２０２のＲｕｎｎｉｎｇ−ｃｏｎｆｉｇを不揮発性メモリ２０３に新たな起動設定情報（Ｓｔａｒｔｕｐ−ｃｏｎｆｉｇ）として記憶させる（図３（ｂ）の点線矢印（６））。ここでは、不揮発性メモリ２０３の前のＳｔａｒｔｕｐ−ｃｏｎｆｉｇは新たなＳｔａｒｔｕｐ−ｃｏｎｆｉｇで上書きされるものとする。そして、保守者は、通信装置１０１をもう一度、再起動する（３回目の起動）。
【００３４】
通信装置１０１が再起動されると、図３（ａ）の場合と同様に、制御部２０１は、不揮発性メモリ２０３からＳｔａｒｔｕｐ−ｃｏｎｆｉｇを読み出し、揮発性メモリ２０２に動作設定情報（Ｒｕｎｎｉｎｇ−ｃｏｎｆｉｇ）として展開し、展開されたＲｕｎｎｉｎｇ−ｃｏｎｆｉｇを参照して通信装置１０１を動作可能な状態に立ち上げる。この状態で、通信装置１０１はユーザ通信ブロック１０５を含む全ての設定が完了し、通常運用が可能になる。
【００３５】
以下に、工場出荷された通信装置１０１を運用可能な状態にするまでの主な手順を列挙する。
（１）工場出荷された通信装置１０１を起動する（１回目の起動）。
（２）通信装置１０１に保守端末１６１を接続して監視制御ネットワーク１５１および監視制御サーバ１５２に接続するためのネットワーク接続設定を行う。
（３）通信装置１０１を再起動（２回目の起動）してネットワーク利用可能な状態にし、監視制御ネットワーク１５１を介して監視制御サーバ１５２に接続する。
（４）オペレータは、監視制御サーバ１５２のサーバ端末１５３から遠隔操作で通信装置１０１の各機能の設定を行う。
（５）通信装置１０１を再起動（３回目の起動）して各機能を有効にし、通信装置１０１を運用可能な状態にする。
【００３６】
このようにして、従来は工場出荷された通信装置１０１を運用可能な状態にするまでに、何度も再起動や設定を行う必要があり、装置設置から運用までに多大な工数や時間がかかるという問題があった。
【００３７】
そこで、本実施形態に係る通信装置１０１は、上記のような従来の方法ではなく、少ない工数で短時間で運用可能な状態に立ち上げることができるようになっている。
【００３８】
［本実施形態に係る通信装置１０１の起動時の動作］
次に、本実施形態に係る通信装置１０１の起動時の動作について詳しく説明する。尚、本実施形態に係る通信装置１０１は、先に説明した従来と同様の機能も有する。例えば、不揮発性メモリ２０３にＤｅｆａｕｌｔ−ｃｏｎｆｉｇだけが記憶されている場合は、Ｄｅｆａｕｌｔ−ｃｏｎｆｉｇを読み出して揮発性メモリ２０２にＲｕｎｎｉｎｇ−ｃｏｎｆｉｇとして展開して通信装置１０１を起動する。また、不揮発性メモリ２０３にＤｅｆａｕｌｔ−ｃｏｎｆｉｇとＳｔａｒｔｕｐ−ｃｏｎｆｉｇとが記憶されている場合は、Ｓｔａｒｔｕｐ−ｃｏｎｆｉｇを読み出して揮発性メモリ２０２にＲｕｎｎｉｎｇ−ｃｏｎｆｉｇとして展開して通信装置１０１を起動する。
【００３９】
さらに、本実施形態に係る通信装置１０１は、制御部２０１は、電源投入時に自動的に外部メモリＩＦ２０４に外部メモリ２０７が装着されているか否かを判別し、外部メモリ２０７が装着されている場合は、不揮発性メモリ２０３に記憶されているＤｅｆａｕｌｔ−ｃｏｎｆｉｇまたはＳｔａｒｔｕｐ−ｃｏｎｆｉｇよりも優先して、外部メモリ２０７に記憶されているＳｔａｒｔｕｐ−ｃｏｎｆｉｇを読み出して揮発性メモリ２０２のＲｕｎｎｉｎｇ−ｃｏｎｆｉｇとして展開し（図４（ａ）の点線矢印（７））、通信装置１０１を起動するようになっている。
【００４０】
そして、制御部２０１は、通信装置１０１が正常に起動できたか否かを判別して、正常に起動できた場合、揮発性メモリ２０２が保持しているＲｕｎｎｉｎｇ−ｃｏｎｆｉｇを不揮発性メモリ２０３にＳｔａｒｔｕｐ−ｃｏｎｆｉｇとして記憶する（図４（ｂ）の点線矢印（９））。或いは、制御部２０１は、正常に起動できた場合に、外部メモリ２０７に記憶されているＳｔａｒｔｕｐ−ｃｏｎｆｉｇを不揮発性メモリ２０３にＳｔａｒｔｕｐ−ｃｏｎｆｉｇとして記憶するようにしてもよい（図４（ｂ）の点線矢印（８））。尚、不揮発性メモリ２０３に前のＳｔａｒｔｕｐ−ｃｏｎｆｉｇが記憶されてる場合は、揮発性メモリ２０２が保持しているＲｕｎｎｉｎｇ−ｃｏｎｆｉｇを新たなＳｔａｒｔｕｐ−ｃｏｎｆｉｇとして不揮発性メモリ２０３に記憶する。ここでは、前のＳｔａｒｔｕｐ−ｃｏｎｆｉｇに上書きされるものとする。
【００４１】
ここで、各請求項との対応について説明する。不揮発性メモリ２０３は、製造時に決められた装置固有の初期設定情報（Ｄｅｆａｕｌｔ−ｃｏｎｆｉｇ）を記憶する第１記憶部に対応し、揮発性メモリ２０２は、通信装置１０１起動時に参照し且つ装置動作中の設定を運用設定情報（Ｒｕｎｎｉｎｇ−ｃｏｎｆｉｇ）として電源投入中のみ保持する第２記憶部に対応する。また、外部メモリ２０７は外部記憶媒体に、外部メモリＩＦ２０４は接続インターフェースに、制御部２０１は制御部にそれぞれ対応する。
【００４２】
［通信装置１０１起動時の一連の処理の流れ］
次に、上記で説明した各処理の流れについて、図５のフローチャートを用いて説明する。図５のフローチャートは、制御部２０１の内部に予め記憶されたプログラムに従って実行される処理を示す。
【００４３】
（ステップＳ１０１）保守者が外部メモリ２０７を通信装置１０１装着した状態で電源を投入する。
【００４４】
（ステップＳ１０２）制御部２０１は、揮発性メモリ２０２を初期化（メモリクリアなど）する。
【００４５】
（ステップＳ１０３）制御部２０１は、外部メモリＩＦ２０４に外部メモリ２０７が装着されているか否かを判別する。外部メモリ２０７が外部メモリＩＦ２０４に装着されていない場合はステップＳ１０７に進み、外部メモリ２０７が外部メモリＩＦ２０４に装着されている場合は次のステップＳ１０４に進む。尚、ここでは、外部メモリ２０７にＳｔａｒｔｕｐ−ｃｏｎｆｉｇが予め記憶されているものとするが、外部メモリ２０７が装着されていた場合でも外部メモリ２０７にＳｔａｒｔｕｐ−ｃｏｎｆｉｇが記憶されていない場合は、ステップＳ１０７に進むようにしてもよい。
【００４６】
ここで、図５において、「ＳＣ」はＳｔａｒｔｕｐ−ｃｏｎｆｉｇを、「ＤＣ」はＤｅｆａｕｌｔ−ｃｏｎｆｉｇを、「ＲＣ」はＲｕｎｎｉｎｇ−ｃｏｎｆｉｇをそれぞれ示す。
【００４７】
（ステップＳ１０４）制御部２０１は、外部メモリ２０７からＳｔａｒｔｕｐ−ｃｏｎｆｉｇを読み出し、揮発性メモリ２０２のＲｕｎｎｉｎｇ−ｃｏｎｆｉｇとして展開する。そして、制御部２０１は、揮発性メモリ２０２に展開されたＲｕｎｎｉｎｇ−ｃｏｎｆｉｇに従って通信装置１０１を起動する。
【００４８】
（ステップＳ１０５）制御部２０１は、通信装置１０１が正常に起動されたか否かを判別する。そして、正常に起動された場合は次のステップＳ１０６に進み、正常に起動できなかった場合はステップＳ１０７に進む。尚、正常に起動できたか否かの判別は、例えばユーザ通信ブロック１０５からエラーメッセージが監視制御盤１０６側に返されたか否か、或いはアラームが出力されたか否かなどによて、正常に起動できたか否かを判断することができる。
【００４９】
（ステップＳ１０６）制御部２０１は、揮発性メモリ２０２が保持しているＲｕｎｎｉｎｇ−ｃｏｎｆｉｇを不揮発性メモリ２０３にＳｔａｒｔｕｐ−ｃｏｎｆｉｇとして記憶する。或いは、先に説明したように、制御部２０１は、外部メモリ２０７に記憶されているＳｔａｒｔｕｐ−ｃｏｎｆｉｇを不揮発性メモリ２０３にＳｔａｒｔｕｐ−ｃｏｎｆｉｇとして記憶するようにしてもよい。
【００５０】
（ステップＳ１０７）制御部２０１は、不揮発性メモリ２０３にＳｔａｒｔｕｐ−ｃｏｎｆｉｇが記憶されているか否かを判別する。そして、不揮発性メモリ２０３にＳｔａｒｔｕｐ−ｃｏｎｆｉｇが記憶されている場合は次のステップＳ１０８に進み、不揮発性メモリ２０３にＳｔａｒｔｕｐ−ｃｏｎｆｉｇが記憶されていない場合は次のステップＳ１０９に進む。
【００５１】
（ステップＳ１０８）制御部２０１は、不揮発性メモリ２０３に記憶されているＳｔａｒｔｕｐ−ｃｏｎｆｉｇを揮発性メモリ２０２にＲｕｎｎｉｎｇ−ｃｏｎｆｉｇとして展開して、通信装置１０１を起動する。そして、次のステップＳ１１０に進む。
【００５２】
（ステップＳ１０９）制御部２０１は、不揮発性メモリ２０３に記憶されているＤｅｆａｕｌｔ−ｃｏｎｆｉｇを揮発性メモリ２０２にＲｕｎｎｉｎｇ−ｃｏｎｆｉｇとして展開して、通信装置１０１を起動する。
【００５３】
このようにして、ステップＳ１０１で保守者が電源投入後は、制御部２０１のプログラムによって自動的に実行される。尚、外部メモリ２０７のＳｔａｒｔｕｐ−ｃｏｎｆｉｇにネットワーク設定（ＮＷ設定）が含まれている場合は、上記の一連の動作で通信装置１０１は運用可能な状態になっている。また、外部メモリ２０７のＳｔａｒｔｕｐ−ｃｏｎｆｉｇにネットワーク設定（ＮＷ設定）が含まれていない場合は、外部メモリ２０７を取り外した後、図２（ｂ）と同様にして、保守者が保守端末１６１から揮発性メモリ２０２のＲｕｎｎｉｎｇ−ｃｏｎｆｉｇに対してネットワーク設定を行い、変更後のＲｕｎｎｉｎｇ−ｃｏｎｆｉｇを不揮発性メモリ２０３にＳｔａｒｔｕｐ−ｃｏｎｆｉｇとして保存して再起動することで、制御部２０１は不揮発性メモリ２０３に記憶されたネットワーク設定情報を含むＳｔａｒｔｕｐ−ｃｏｎｆｉｇを揮発性メモリ２０２のＲｕｎｎｉｎｇ−ｃｏｎｆｉｇとして展開して起動するので、通信装置１０１は運用可能な状態になる。
【００５４】
このように、本実施形態に係る通信装置１０１は、電源投入時（１回目の起動時）にＳｔａｒｔｕｐ−ｃｏｎｆｉｇが記憶された外部メモリ２０７を外部メモリＩＦ２０４に装着しておくことにより、外部メモリ２０７に記憶されたＳｔａｒｔｕｐ−ｃｏｎｆｉｇを揮発性メモリ２０２にＲｕｎｎｉｎｇ−ｃｏｎｆｉｇとして展開して通信装置１０１を立ち上げるので、電源投入を１回行うだけで再起動せずに通信装置１０１を運用可能な状態にすることができる。特に、外部メモリ２０７に予め記憶しておくＳｔａｒｔｕｐ−ｃｏｎｆｉｇにネットワーク設定情報を含めておけば、１回の起動だけで通信装置１０１を運用可能な状態にすることができる。尚、外部メモリ２０７に記憶されているＳｔａｒｔｕｐ−ｃｏｎｆｉｇにネットワーク設定が記憶されていない場合でも、保守者が保守端末１６１から通信装置１０１のネットワーク設定を行った後で１回だけ再起動（２回目の起動）を行うだけで、監視制御ネットワーク１５１および監視制御サーバ１５２に接続可能な状態にすることができる。特に、複数の同様の通信装置１０１を起動する場合に、従来のように何度も装置を起動したり、設定を行う必要がないので、大幅に工数や時間を削減することができる。
【００５５】
（変形例１）
次に、先に説明した実施形態の変形例１について図６（ａ）を用いて説明する。変形例１に係る通信装置１０１は、外部メモリ２０７に複数の起動設定情報（Ｓｔａｒｔｕｐ−ｃｏｎｆｉｇ）が記憶されている場合に、起動時に読み出すＳｔａｒｔｕｐ−ｃｏｎｆｉｇの起動ファイル名が記載された起動テキストファイル（ここでは、Ｓｔａｒｔｕｐ．ｔｘｔとする）が外部メモリ２０７に記憶されている。そして、制御部２０１は、通信装置１０１の電源が投入されると、外部メモリＩＦ２０４に外部メモリ２０７が装着されているか否かを判別し、外部メモリ２０７が装着されている場合は、先ず外部メモリ２０７の起動テキストファイル（Ｓｔａｒｔｕｐ．ｔｘｔ）を読み出す。そして、Ｓｔａｒｔｕｐ．ｔｘｔに書き込まれているＳｔａｒｔｕｐ−ｃｏｎｆｉｇ名のＳｔａｒｔｕｐ−ｃｏｎｆｉｇを読み出して、Ｒｕｎｎｉｎｇ−ｃｏｎｆｉｇとして揮発性メモリ２０２の展開する。
【００５６】
例えば図６（ａ）において、外部メモリ２０７に、Ｓｔａｒｔｕｐ−ｃｏｎｆｉｇＡ、Ｓｔａｒｔｕｐ−ｃｏｎｆｉｇＢ、・・・・Ｓｔａｒｔｕｐ−ｃｏｎｆｉｇＺが記憶されている場合に、Ｓｔａｒｔｕｐ−ｃｏｎｆｉｇＢを読み出して起動したい場合は、起動テキストファイル（Ｓｔａｒｔｕｐ．ｔｘｔ）に「Ｓｔａｒｔｕｐ−ｃｏｎｆｉｇＢ」を予め書き込んでおく。これにより、制御部２０１は、通信装置１０１の電源が投入された時に、Ｓｔａｒｔｕｐ．ｔｘｔに書き込まれたＳｔａｒｔｕｐ−ｃｏｎｆｉｇＢを参照して、外部メモリ２０７からＳｔａｒｔｕｐ−ｃｏｎｆｉｇＢを読み出してＲｕｎｎｉｎｇ−ｃｏｎｆｉｇとして揮発性メモリ２０２に展開する（図６（ａ）の点線矢印（１０））。尚、ここではＳｔａｒｔｕｐ．ｔｘｔに予め起動ファイル名が書き込まれているものとするが、Ｓｔａｒｔｕｐ．ｔｘｔの起動ファイル名の書き換え方法については後で詳しく説明する。
【００５７】
このようにして、外部メモリ２０７に複数のＳｔａｒｔｕｐ−ｃｏｎｆｉｇが記憶されている場合でも制御部２０１は自動的に１つのＳｔａｒｔｕｐ−ｃｏｎｆｉｇを選択して、Ｒｕｎｎｉｎｇ−ｃｏｎｆｉｇとして揮発性メモリ２０２展開し、通信装置１０１を起動するので、保守者やオペレータがＳｔａｒｔｕｐ−ｃｏｎｆｉｇを指定して通信装置１０１を起動する必要がない。
【００５８】
尚、先の実施形態と同様に、通信装置１０１が正常に起動された場合には、制御部２０１は、揮発性メモリ２０２のＲｕｎｎｉｎｇ−ｃｏｎｆｉｇを不揮発性メモリ２０３に新たなＳｔａｒｔｕｐ−ｃｏｎｆｉｇとして記憶する（図６（ｂ）の点線矢印（１２））。或いは、制御部２０１は、外部メモリ２０７の起動テキストファイルに記載されている起動ファイル名のＳｔａｒｔｕｐ−ｃｏｎｆｉｇ（例えばＳｔａｒｔｕｐ−ｃｏｎｆｉｇ（Ｂ））を不揮発性メモリ２０３の新たなＳｔａｒｔｕｐ−ｃｏｎｆｉｇとして記憶するようにしてもよい（図６（ｂ）の点線矢印（１１））。これにより、次回、外部メモリ２０７が外部メモリＩＦ２０４に装着されていない状態で起動された場合でも、不揮発性メモリ２０３に記憶されたＳｔａｒｔｕｐ−ｃｏｎｆｉｇを揮発性メモリ２０２にＲｕｎｎｉｎｇ−ｃｏｎｆｉｇとして展開して起動することができる。
【００５９】
（変形例２）
先に説明した変形例１では、複数のＳｔａｒｔｕｐ−ｃｏｎｆｉｇの内、起動時に読み込むＳｔａｒｔｕｐ−ｃｏｎｆｉｇ名がＳｔａｒｔｕｐ．ｔｘｔに予め書き込まれているものとした。本変形例２では、Ｓｔａｒｔｕｐ．ｔｘｔに起動時に読み込むＳｔａｒｔｕｐ−ｃｏｎｆｉｇ名を書き込む動作について図７を用いて説明する。尚、通信装置１０１は、既に起動されて正常に動作し、通常運用されている状態にあるものとする。
【００６０】
図７において、端末ＩＦ２０５を介して接続される保守端末１６１（または、監視ＮＷＩＦ２０６および監視制御ネットワーク１５１を介して接続される監視制御サーバ１５２のサーバ端末１５３）から揮発性メモリ２０２が保持するＲｕｎｎｉｎｇ−ｃｏｎｆｉｇが変更された場合（図７の点線矢印（１３）または（１４））、制御部２０１は変更されたＲｕｎｎｉｎｇ−ｃｏｎｆｉｇを外部メモリ２０７に新たなＳｔａｒｔｕｐ−ｃｏｎｆｉｇとして（例えばＳｔａｒｔｕｐ−ｃｏｎｆｉｇ（Ｘ）として）追加する（図７の点線矢印（１５））。さらに、制御部２０１は、Ｓｔａｒｔｕｐ．ｔｘｔに記載されている現在の起動ファイル名をＳｔａｒｔｕｐ−ｃｏｎｆｉｇ（Ｘ）に書き換える（図７の点線矢印（１６））。同時に、制御部２０１は、不揮発性メモリ２０３に対しても変更されたＲｕｎｎｉｎｇ−ｃｏｎｆｉｇを新たなＳｔａｒｔｕｐ−ｃｏｎｆｉｇとして更新する（図７の点線矢印（１７））。
【００６１】
このようにして、変更後のＲｕｎｎｉｎｇ−ｃｏｎｆｉｇを外部メモリ２０７に記憶し、且つ当該Ｓｔａｒｔｕｐ−ｃｏｎｆｉｇ名をＳｔａｒｔｕｐ．ｔｘｔに書き込むので、当該外部メモリ２０７を別の通信装置（例えば図１の通信装置１０３、１０４など）に装着して、起動することによって、通信装置１０１と同じ最新の設定で動作させることができる。これにより、保守者や監視制御サーバ１５２のサーバ端末１５３を操作するオペレータが複数の装置に対して１つ１つ通信装置１０１と同じ設定にする作業を行う必要がなくなり、保守者は外部メモリ２０７を装着して電源投入するだけで通信装置１０１と同じ設定にすることができる。
【００６２】
図８は、ネットワーク設定（ＮＷ設定）を含まないＳｔａｒｔｕｐ−ｃｏｎｆｉｇを外部メモリ２０７に記憶しておき、この外部メモリ２０７を用いて複数の通信装置（通信装置１０１ａ、１０１ｂ、１０１ｃ、１０１ｄ）を起動する様子を示した図である。この場合は、保守者は１つの外部メモリ２０７を通信装置１０１ａの外部メモリＩＦ２０４に装着して電源投入した後、保守端末１６１を端末ＩＦ２０５に接続して通信装置１０１ａ固有のネットワーク設定を行った後、通信装置１０１ａを再起動して運用可能な状態にするだけである。そして、保守者は同様の作業を通信装置１０１ｂ、１０１ｃおよび１０１ｄに対しても繰り返し行うだけでよい。
【００６３】
このように、複数の通信装置の起動および設定を行う場合でも、従来のように再起動する回数や設定する作業を大幅に低減することができる。
【００６４】
図９は、図８のように１つの外部メモリ２０７を用いて複数の通信装置を起動するのではなく、各通信装置に対応するネットワーク設定情報を含むＳｔａｒｔｕｐ−ｃｏｎｆｉｇが記憶された外部メモリ２０７を各通信装置毎に準備する。例えば通信装置１０１ａに対しては、通信装置１０１ａ固有のＮＷ設定ａを含むＳｔａｒｔｕｐ−ｃｏｎｆｉｇが記憶された外部メモリ２０７ａを準備する。同様に、通信装置１０１ｂには外部メモリ２０７ｂ、通信装置１０１ｃには外部メモリ２０７ｃ、通信装置１０１ｄには外部メモリ２０７ｄをそれぞれ準備する。そして、保守者は、各通信装置にそれぞれの外部メモリを装着して電源を投入するだけで、全ての通信装置は運用可能な状態になる。
【００６５】
このように、１回の起動だけで通信装置を運用可能な状態にすることができるので、従来のように何度も再起動したり、煩雑な設定作業を行う必要がなくなる。尚、各通信装置固有の外部メモリを準備する場合、ＮＷ設定情報だけを変更すればよいので、その他の設定情報を予め一括コピーしておき、ＮＷ設定情報だけを変更する処理は、例えばコンピュータなどで自動化することができる。従って、保守者は各通信装置１０１に対応する外部メモリ２０７だけを持参して装置の電源を投入するだけでよい。
【００６６】
尚、上記の実施形態では、本発明に係る設定情報参照起動型の制御装置として、通信装置１０１を例に挙げて説明したが、装置にマイクロコンピュータを搭載して、装置の制御をそのマイクロコンピュータで行い、様々な機能を提供する制御装置であれば同様に適用可能である。特に、近年のように、数多くの機能を取り込んで高機能化や複雑化される装置ほど、装置に設定する機能の項目数が増加し、装置に対面して設定を行う保守者やネットワーク経由で設定を実行するオペレータなどの作業時間が増大し、また設定間違いによる装置の動作不良が発生した場合のリカバリ時間も増大する傾向にあるが、本実施形態で説明したような設定情報管理方法を適用することにより、大幅な工数の低減が可能になる。特に、正常に動作した設定情報のみを装置側に保存することにより、動作不良に依るリカバリを少なくすることができる。また、リカバリを行う場合でも外部メモリ２０７にリカバリ内容を反映させておくことにより、大幅な時間短縮が可能になる。
【００６７】
以上、本発明に係る設定情報参照起動型の制御装置および設定情報管理方法について、各実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００６８】
１０１，１０３，１０４，１０１ａ，１０１ｂ，１０１ｃ，１０１ｄ・・・通信装置
１０２・・・ユーザネットワーク
１０５・・・ユーザ通信ブロック
１０６・・・監視制御盤
２０１・・・制御部
２０２・・・揮発性メモリ
２０３・・・不揮発性メモリ
２０４・・・外部メモリＩＦ
２０５・・・端末ＩＦ
２０６・・・監視ＮＷＩＦ
２０７，２０７ａ，２０７ｂ，２０７ｃ，２０７ｄ・・・外部メモリ
１５１・・・監視制御ネットワーク
１５２・・・監視制御サーバ
１５３・・・サーバ端末
１６１・・・保守端末
【図１】
0005508297.tif 000002
【図２】
0005508297.tif 000003
【図３】
0005508297.tif 000004
【図４】
0005508297.tif 000005
【図５】
0005508297.tif 000006
【図６】
0005508297.tif 000007
【図７】
0005508297.tif 000008
【図８】
0005508297.tif 000009
【図９】
0005508297.tif 000010